(57)【要約】  【課題】照明器具を改造などすることなく引掛シーリングボディ12に確実に支持する。  【解決手段】アダプタ支持体28は、取付アダプタ27に着脱可能に係合するアダプタ係合部44を、シーリング係合部43の本体部42からの突出方向と同方向に向けてこのシーリング係合部43よりも小さい突出量で本体部42から突出させる。本体部42に対するアダプタ係合部44の加重が低減してアダプタ係合部44により支持可能な荷重が向上し、高荷重の照明器具でも、照明器具を改造などすることなく引掛シーリングボディ12に対して確実に支持可能とする。  【選択図】図１
2005078920.tif 000002
【特許請求の範囲】
【請求項１】
本体部と；
この本体部から突出し、引掛シーリングボディに設けられた段差部に着脱可能に係合するシーリング係合部と；
このシーリング係合部の突出方向と同方向に向けてこのシーリング係合部よりも小さい突出量で本体部から突出し、引掛シーリングボディに装着され照明器具が着脱可能に係合される取付アダプタに着脱可能に係合するアダプタ係合部と；
を具備していることを特徴とした照明器具支持装置。
【請求項２】
アダプタ係合部は、取付アダプタに設けられた嵌合部に嵌合して取付アダプタに対してアダプタ係合部を位置決めする突出部を備えている
ことを特徴とする請求項１記載の照明器具支持装置。
【請求項３】
照明器具に挿入され、第１の本体部とこの第１の本体部に着脱可能に係合される第２の本体部とに２分割され、第１の本体部と第２の本体部とにより略円筒状に形成されるとともに、引掛シーリングボディに設けられた段差部を第１の本体部と第２の本体部とで挟持することで引掛シーリングボディに装着される接続器と；
第１の本体部と第２の本体部とを互いに保持した状態で接続器に取り付けられ、この接続器への取り付けにより照明器具に係合してこの照明器具を支持する係合保持体と；
を具備していることを特徴とする照明器具支持装置。
【請求項４】
接続器は、外周に螺子部を備え、
係合保持体は、螺子部にねじ込み固定されることで接続器に取り付けられる
ことを特徴とする請求項３記載の照明器具支持装置。
【請求項５】
請求項１ないし４いずれか一記載の照明器具支持装置と；
この照明器具支持装置により引掛シーリングボディに支持される照明器具と；
を具備していることを特徴とする照明装置。
【発明の詳細な説明】
【技術分野】
【０００１】
本発明は、照明器具を引掛シーリングボディに支持する照明器具支持装置およびこれを備えた照明装置に関する。
【背景技術】
【０００２】
従来、天井面に設置された引掛シーリングボディに高荷重の照明器具を支持する照明器具支持装置としては、本体部の上端部に引掛シーリングボディの下端部に設けられた段差部に係合するシーリング係合部を突設するとともに、引掛シーリングボディに着脱可能に取り付けられ照明器具が係合される取付アダプタの下面に係合するアダプタ係合部を本体部の下端部に、シーリング係合部に対して略平行に突設する構成が知られている（例えば、特許文献１参照。）。
【０００３】
しかしながら、この照明器具支持装置では、アダプタ係合部がシーリング係合部よりも本体部から突出しているため、本体部に対するアダプタ係合部の加重が比較的大きく、取付アダプタおよびこの取付アダプタに係合された照明器具の重量でアダプタ係合部の先端部がシーリング係合部に対して下方に開くおそれがあり、照明器具を引掛シーリングボディに対して確実に支持することが容易でない。
【０００４】
そこで、照明器具を引掛シーリングボディに確実に支持可能とするように、引掛シーリングボディが挿入される挿入孔を本体部に設け、引掛シーリングボディの段差部に係合する可動係止爪を挿入孔の内周に進退可能に突設させて、この本体部を照明器具に組み込む構成が知られている（例えば、特許文献２ないし４参照。）。
【特許文献１】特開２００１−１３５１２６号公報（第５−６頁、図５）
【特許文献２】特開２０００−１４９３３号公報（第３−４頁、図５）
【特許文献３】特開２０００−２６０２２１号公報（第２−３頁、図３）
【特許文献４】特開２０００−２６０２２０号公報（第３−４頁、図１）
【発明の開示】
【発明が解決しようとする課題】
【０００５】
しかしながら、上述の照明器具支持装置では、本体部を照明器具に組み込むため、通常の照明器具の構造をそのままで使用することができないという問題点を有している。
【０００６】
本発明は、このような点に鑑みなされたもので、照明器具を改造などすることなく引掛シーリングに確実に支持できる照明器具支持装置およびこれを備えた照明装置を提供することを目的とする。
【課題を解決するための手段】
【０００７】
請求項１記載の照明器具支持装置は、本体部と；この本体部から突出し、引掛シーリングボディに設けられた段差部に着脱可能に係合するシーリング係合部と；このシーリング係合部の突出方向と同方向に向けてこのシーリング係合部よりも小さい突出量で本体部から突出し、引掛シーリングボディに装着され照明器具が着脱可能に係合される取付アダプタに着脱可能に係合するアダプタ係合部とを具備しているものである。
【０００８】
そして、引掛シーリングボディに設けられた段差部に着脱可能に係合するシーリング係合部の本体部からの突出方向と同方向に向けて、取付アダプタに着脱可能に係合するアダプタ係合部を、シーリング係合部よりも小さい突出量で本体部から突出させることで、本体部に対するアダプタ係合部の加重が低減してアダプタ係合部により支持可能な荷重が向上し、例えば高荷重の照明器具などでも、照明器具を改造などすることなく引掛シーリングボディに対して確実に支持可能とする。
【０００９】
請求項２の照明器具支持装置は、請求項１記載の照明器具支持装置において、アダプタ係合部は、取付アダプタに設けられた嵌合部に嵌合して取付アダプタに対してアダプタ係合部を位置決めする突出部を備えているものである。
【００１０】
そして、取付アダプタに設けられた嵌合部に、アダプタ係合部に設けた突出部が嵌合することで取付アダプタに対してアダプタ係合部が位置決めされるので、取付アダプタに、より容易に取り付け可能とする。
【００１１】
請求項３記載の照明器具支持装置は、照明器具に挿入され、第１の本体部とこの第１の本体部に着脱可能に係合される第２の本体部とに２分割され、第１の本体部と第２の本体部とにより略円筒状に形成されるとともに、引掛シーリングボディに設けられた段差部を第１の本体部と第２の本体部とで挟持することで引掛シーリングボディに装着される接続器と；第１の本体部と第２の本体部とを互いに保持した状態で接続器に取り付けられ、この接続器への取り付けにより照明器具に係合してこの照明器具を支持する係合保持体とを具備しているものである。
【００１２】
そして、引掛シーリングボディに設けられた段差部を、照明器具に挿入される接続器を２分割した第１の本体部と第２の本体部とで挟持し、これら第１の本体部と第２の本体部とを互いに保持した状態で係合保持体を接続器に取り付けてこの係合保持体を照明器具に係合させて照明器具を支持することにより、照明器具を改造などすることなく引掛シーリングに確実に支持可能とする。
【００１３】
請求項４記載の照明器具支持装置は、請求項３記載の照明器具支持装置において、接続器は、外周に螺子部を備え、係合保持体は、螺子部にねじ込み固定されることで接続器に取り付けられるものである。
【００１４】
そして、接続器の外周に設けた螺子部に係合保持体をねじ込み固定して接続器に取り付けることにより、係合保持体を接続器に容易かつ確実に取り付け可能とする。
【００１５】
請求項５記載の照明装置は、請求項１ないし４いずれか一記載の照明器具支持装置と；この照明器具支持装置により引掛シーリングボディに支持される照明器具とを具備しているものである。
【００１６】
そして、請求項１ないし４いずれか一記載の照明器具支持装置で照明器具を引掛シーリングボディに支持することで、照明器具を引掛シーリングボディに確実に支持可能とする。
【発明の効果】
【００１７】
請求項１記載の照明器具支持装置によれば、引掛シーリングボディに設けられた段差部に着脱可能に係合するシーリング係合部の本体部からの突出方向と同方向に向けて、取付アダプタに着脱可能に係合するアダプタ係合部を、シーリング係合部よりも小さい突出量で本体部から突出させることで、本体部に対するアダプタ係合部の加重が低減してアダプタ係合部により支持可能な荷重が向上し、例えば高荷重の照明器具などでも、照明器具を改造などすることなく引掛シーリングボディに対して確実に支持できる。
【００１８】
請求項２記載の照明器具支持装置によれば、請求項１記載の照明器具支持装置の効果に加えて、取付アダプタに設けられた嵌合部に、アダプタ係合部に設けた突出部が嵌合することで取付アダプタに対してアダプタ係合部が位置決めされるので、取付アダプタに、より容易に取り付けできる。
【００１９】
請求項３記載の照明器具支持装置によれば、引掛シーリングボディに設けられた段差部を、照明器具に挿入される接続器を２分割した第１の本体部と第２の本体部とで挟持し、これら第１の本体部と第２の本体部とを互いに保持した状態で係合保持体を接続器に取り付けてこの係合保持体を照明器具に係合させて照明器具を支持することにより、照明器具を改造などすることなく引掛シーリングに確実に支持できる。
【００２０】
請求項４記載の照明器具支持装置によれば、請求項３記載の照明器具支持装置の効果に加えて、接続器の外周に設けた螺子部に係合保持体をねじ込み固定して接続器に取り付けることにより、係合保持体を接続器に容易かつ確実に取り付けできる。
【００２１】
請求項５記載の照明装置によれば、請求項１ないし４いずれか一記載の照明器具支持装置で照明器具を引掛シーリングボディに支持することで、照明器具を引掛シーリングボディに確実に支持できる。
【発明を実施するための最良の形態】
【００２２】
以下、本発明の一実施の形態を図面を参照して説明する。
【００２３】
図１ないし図４に第１の実施の形態を示し、図１は照明器具支持装置を備えた照明器具取付装置の上側からの分解斜視図、図２は照明器具取付装置の下側からの分解斜視図、図３は照明器具取付装置の側面図、図４は照明器具支持装置を備えた照明装置の断面図である。
【００２４】
図１ないし図３に示すように、天井などの器具取付面11には、高荷重形の丸形の引掛シーリングボディ12が設置され、この引掛シーリングボディ12の下端部である周面下部には、段差部としての係合段である凸段部13が周回状に全周に亘って突出して形成され、下面には一対の円弧状をなす接続孔14が形成され、これら接続孔14の内側にそれぞれ電源線に接続される接続金具が配設されている。
【００２５】
そして、照明器具20は、照明器具取付装置21を介して器具本体22、反射体23、点灯装置24、ランプホルダ体25およびセード26などが引掛シーリングボディ12に機械的に固定されているとともに電気的に接続されている。
【００２６】
照明器具取付装置21は、取付アダプタ27および照明器具支持装置としての係止具であるアダプタ支持体28を備えている。そして、照明器具20およびアダプタ支持体28などで、照明装置が構成されている。
【００２７】
取付アダプタ27は、従来から使用されている一般的なもので、アダプタ本体31を有している。このアダプタ本体31は、上下の本体部31a，31bを互いに固定して構成されている。また、このアダプタ本体31の周面の対称的な２箇所には、平坦面32が形成され、上面には断面略Ｌ字状の一対の引掛金具33が突設されており、これら引掛金具33を引掛シーリングボディ12の接続孔14に挿入して所定角度だけ回動させることにより、アダプタ本体31の上面が引掛シーリングボディ12の下面に当接した状態で、これら引掛金具33が引掛シーリングボディ12内の接続金具に電気的および機械的に接続される。
【００２８】
アダプタ本体31の周面の対称的な２箇所には、上面が水平な係止面で下面が傾斜した傾斜面の係合部34が進退可能に突出されているとともに、これら係合部34がアダプタ本体31内に配置される付勢手段で突出方向に付勢されている。
【００２９】
アダプタ本体31の下面中央には、解除ボタン35が進退可能に突出されており、この解除ボタン35をアダプタ本体31内に押し込み操作することにより、各係合部34がアダプタ本体31内に後退するようになっている。また、アダプタ本体31の下面には、丸穴状の複数、例えば４つの嵌合部としての螺子穴部36がそれぞれ設けられている。これら螺子穴部36は、アダプタ本体31の下面の四隅にそれぞれ位置するように配設されている。そして、これら螺子穴部36には、アダプタ本体31を構成する上下の本体部31a，31bを互いに螺子止めする図示しない螺子が挿入されている。
【００３０】
アダプタ本体31の上面には、固定突出部37が進退可能に突出されているとともに、アダプタ本体31内に配置される図示しない付勢手段で突出方向に付勢されている。この固定突出部37は、アダプタ本体31の平坦面32に設けられた押しボタン38をアダプタ本体31内に押し込み操作することにより、アダプタ本体31内に後退するようになっている。そして、この固定突出部37は、取付アダプタ27を引掛シーリングボディ12に取り付けた状態で接続孔14に挿入され、引掛シーリングボディ12に対する取付アダプタ27の回動を固定する。
【００３１】
アダプタ本体31の押しボタン38と反対側の平坦面32の位置からは、各引掛金具33に電気的に接続された電線39が導出され、この電線39の先端に図示しない接続コネクタが取り付けられている。
【００３２】
そして、アダプタ支持体28は、板状の例えば金属製の部材を折り曲げて形成され、引掛シーリングボディ12と取付アダプタ27とに複数、例えば一対、着脱可能に取り付けられている。これらアダプタ支持体28は、例えば金属製で、取付アダプタ27の側方に位置する連結部である本体部42、この本体部42の上端に突設されたシーリング係合部43、および、本体部42の下端に突設されたアダプタ係合部44をそれぞれ備えた断面略コ字状となっている。
【００３３】
本体部42は、シーリング係合部43とアダプタ係合部44とを互いに連結するもので、細長板状に設けられ、アダプタ支持体28を引掛シーリングボディ12および取付アダプタ27に取り付けた状態で取付アダプタ27の平坦面32に対向し、上下方向に沿って位置している。
【００３４】
シーリング係合部43は、本体部42から、この本体部42の厚さ方向に向けて、例えば引掛シーリングボディ12の半径寸法よりも若干小さい程度突出している。また、このシーリング係合部43には、引掛シーリングボディ12の外周面に嵌合する半円凹弧状の嵌合溝45が形成されているとともに、引掛シーリングボディ12の凸段部13上に係合される略Ｕ字状のシーリング係合片46が一対形成されている。このため、シーリング係合部43は、平面視で略コ字状に形成されている。
【００３５】
アダプタ係合部44は、本体部42からシーリング係合部43と同方向に向けてシーリング係合部43よりも小さい突出量で突出し、シーリング係合部43と平行に形成されているとともに、本体部42に交差する方向に沿ってアダプタ本体31の下面に係合されるアダプタ係合片47を備えている。これらアダプタ係合片47の先端部の上面には、引掛シーリングボディ12および取付アダプタ27にアダプタ支持体28を取り付けた状態で螺子穴部36に嵌合する平面視円形状の突出部48が上方向、すなわちシーリング係合部43側に向けて段差状にそれぞれ突設されている。これら突出部48は、例えばアダプタ係合部44の下面側からプレス加工されて形成されている。また、アダプタ係合片47の本体部42との連接部の側方には、引掛シーリングボディ12および取付アダプタ27にアダプタ支持体28を取り付けた状態で電線39が嵌合して突出する切欠部49が切り欠き形成されている。
【００３６】
そして、一対のアダプタ支持体28は、互いの嵌合溝45が引掛シーリングボディ12の周面に略円周状に嵌合するように、すなわち引掛シーリングボディ12と取付アダプタ27とを両側から挟持するように互いに対向させた状態で、引掛シーリングボディ12および取付アダプタ27に取り付けられている。
【００３７】
一方、器具本体22は、図４に示すように、中央部に取付アダプタ27が挿通される開口部51が設けられた略円盤状に形成され、上面には、器具本体22と器具取付面11との間に介在される例えばスポンジなどの弾性部材52が取り付けられている。
【００３８】
また、反射体23は、周縁部が上方に湾曲された円盤状に形成され、器具本体22の下面中央に配置されて周縁部が螺子などにより固定されている。この反射体23の下部には、ランプホルダ体25が設けられている。
【００３９】
点灯装置24は、器具本体22との間で反射体23の内側に配設される図示しない回路基板を有し、この回路基板上に例えばインバータ点灯回路などが構成されている。
【００４０】
ランプホルダ体25は、円弧状に湾曲した保持部53を先端部に備え、この保持部53に環形蛍光ランプＬを保持している。
【００４１】
セード26は、透光性を有し、器具本体22の下面全体を囲んでこの器具本体22に取り付けられている。
【００４２】
そして、器具取付面11に照明器具20を設置する場合には、まず、取付アダプタ27を引掛シーリングボディ12に取り付け、アダプタ本体31の上面の引掛金具33を引掛シーリングボディ12の接続孔14に挿入して押し上げつつ固定突出部37が接続孔14に嵌合するまで周方向に所定角度回動させ、取付アダプタ27を引掛シーリングボディ12に係合させる。
【００４３】
この後、一対のアダプタ支持体28のアダプタ係合部44の突出部48を、取付アダプタ27のアダプタ本体31の下面の螺子穴部36にそれぞれ係合させてアダプタ係合部44で取付アダプタ27の下面を支持した状態で、アダプタ支持体28を引掛シーリングボディ12の側方から中心軸方向に押し込むことで、アダプタ支持体28のシーリング係合部43を凸段部13の上面にそれぞれ係合させて、これらアダプタ支持体28を取り付ける。
【００４４】
すなわち、アダプタ支持体28のシーリング係合部43とアダプタ係合部44とで、引掛シーリングボディ12の凸段部13の上面とアダプタ本体31の下面とを挟むように、アダプタ支持体28を引掛シーリングボディ12および取付アダプタ27に取り付ける。
【００４５】
この状態で、図３に示すように、各アダプタ支持体28のそれぞれのシーリング係合部43のシーリング係合片46の先端部が、引掛シーリングボディ12の凸段部13上で互いに近接して対向する。
【００４６】
さらに、照明器具支持装置の取付アダプタ27に器具本体22の開口部51を位置合わせして押し上げることにより、取付アダプタ27が開口部51に嵌合するとともに、取付アダプタ27の各係合部34が開口部51の縁部に係合し、取付アダプタ27に器具本体22が支持される。
【００４７】
そして、電線39の接続コネクタを器具本体22の点灯装置24側に接続し、かつランプホルダ体25に環形蛍光ランプＬを装着して、器具本体22の下方からセード26を被せて押し上げるとともに所定角度回動させることにより、器具本体22にセード26を係合させて取り付ける。
【００４８】
このように、一対のアダプタ支持体28は、取付アダプタ27に着脱可能に係合するアダプタ係合部44を、シーリング係合部43の本体部42からの突出方向と同方向に向けてこのシーリング係合部43よりも小さい突出量で本体部42から突出させることで、本体部42に対するアダプタ係合部44の加重が低減してアダプタ係合部44により支持可能な荷重、すなわち耐荷重が向上し、例えば高荷重の照明器具20などでも、照明器具20を改造などすることなく引掛シーリングボディ12に対して確実に支持できる。
【００４９】
つまり、一対のアダプタ支持体28を取付アダプタ27と引掛シーリングボディ12との間に取り付けることで、従来から使用されている取付アダプタ27を使用して照明器具20を改造することなく引掛シーリングボディ12に取り付けできる。すなわち、従来から使用されている取付アダプタ27および引掛シーリングボディ12であっても、アダプタ支持体28を使用することにより高荷重に対応できる。
【００５０】
また、従来から使用されている取付アダプタ27と引掛シーリングボディ12とにアダプタ支持体28を取り付けることで照明器具取付装置21の耐荷重を向上できるので、従来から使用されている取付アダプタ27にて引掛シーリングボディ12に取り付け可能な照明器具20と同部品および同構造にすることができ、部品を共通化できる。
【００５１】
さらに、取付アダプタ27に設けた螺子穴部36に、アダプタ係合部44に設けた突出部48が嵌合することでアダプタ支持体28のアダプタ係合部44が取付アダプタ27に対して位置決めされるので、アダプタ支持体28をより容易に取り付けできる。
【００５２】
なお、上記第１の実施の形態において、アダプタ支持体28は、３個以上取り付ける構成、あるいは１個だけ取り付ける構成としてもよい。
【００５３】
また、各アダプタ支持体28は、これらアダプタ支持体28同士をそれぞれ互いに嵌合させる嵌合部を、シーリング係合部43などに設けてもよい。この場合には、アダプタ支持体28の脱落を防止できるとともに、アダプタ支持体28を確実に取り付けできたかどうかを確認できる。
【００５４】
さらに、アダプタ支持体28は、アダプタ係合部44に、突出部48に代えて孔部を穿設し、この孔部に螺子を挿入して螺子穴部36に締め付けて螺子止めしてアダプタ支持体28を取付アダプタ27に固定してもよい。この場合には、アダプタ支持体28を取り付けた後に、アダプタ支持体28とアダプタ本体31との間にがたがある場合などに、螺子を締め付けることでこのがたをなくすことができる。そして、このがたをなくすことにより、引掛シーリングボディ12の凸段部13に加わる荷重を低減できる。
【００５５】
そして、突出部48は、螺子穴部36に代えて、取付アダプタ27に設けられた他の嵌合部などに嵌合する構成とすることも可能である。
【００５６】
次に、図５ないし図８に第２の実施の形態を示し、図５は照明器具支持装置の分解斜視図、図６は照明器具支持装置の接続器を示し、(a)は分解平面図、(b)は第１の本体部と第２の本体部との嵌合状態の平面図、図７は照明器具支持装置を備えた照明装置の断面図、図８は照明装置の平面図である。なお、上記第１の実施の形態と同様の構成および作用については、同一符号を付してその説明を省略する。
【００５７】
図５ないし図８に示すように、照明器具20は、照明器具支持装置を介して器具取付面11に装着され、照明器具支持装置は、器具本体22の開口部51に下端部が挿入される接続器61、この接続器61の外周面に着脱可能に装着される固定リング62、および、接続器61にねじ込まれて固定される係合保持体としての取付リング63を備えている。
【００５８】
接続器61は、例えば合成樹脂などで略円筒状に形成され、図５および図６に示すように、径方向に沿った切断線により平面視で略半円状の第１の本体部64と第２の本体部65とに２分割されている。
【００５９】
第１の本体部64と第２の本体部65とは、それぞれ互いに略等しい形状に形成され、互いに対向して引掛シーリングボディ12を両側方から挟持して円筒状となることで、この引掛シーリングボディ12に装着される。また、これら第１の本体部64と第２の本体部65とには、上端部の内周縁部全周に係合内周部71が径方向に突出して設けられており、これら係合内周部71は、引掛シーリングボディ12の凸段部13の上面に係合する。
【００６０】
さらに、係合内周部71の下方には、凹溝状の内周凹部72が全周に亘って設けられている。この内周凹部72には、接続器61を引掛シーリングボディ12に取り付けた状態で引掛シーリングボディ12の凸段部13が嵌合する。
【００６１】
そして、内周凹部72の下部には、一対の突出台部73が突設されている。これら突出台部73は、係合内周部71に平行、すなわち水平に、第１の本体部64および第２の本体部65のそれぞれの両端部近傍に径方向に沿って突出し、接続器61を引掛シーリングボディ12に装着した状態で凸段部13の下面に係合する。
【００６２】
また、これら突出台部73は、接続器61の径方向に互いに離間されている。このため、第１の本体部64および第２の本体部65を互いに嵌着した状態で、接続器61の内部上側に、略四角形状の嵌合空間部74が形成される。この嵌合空間部74には、図７および図８に示すように、器具取付面11に照明器具20を取り付けた際に、引掛シーリングボディ12に着脱可能に取り付けられる引掛シーリングキャップ75が嵌合する。
【００６３】
ここで、引掛シーリングキャップ75は、引掛シーリングボディ12から照明器具20の点灯装置24へと電力を供給するもので、四角形状に形成され、図示しないキャップ用引掛金具を介して引掛シーリングボディ12内の接続金具に電気的および機械的に接続可能となっている。そして、この引掛シーリングキャップ75の下面には、キャップ用引掛金具と電気的に接続された図示しない電線が導出され、この電線は、照明器具20の点灯装置24に電気的に接続される。
【００６４】
さらに、突出台部73には、嵌合凹部76と嵌合凸部77とがそれぞれ設けられている。
【００６５】
嵌合凹部76は、突出台部73の下部に、外囲部76aにより周囲を四角形状に囲まれて形成され、それぞれ第１の本体部64および第２の本体部65の一方側から他方側に臨んで設けられている。
【００６６】
一方、嵌合凸部77は、第１の本体部64および第２の本体部65の中心軸に対して嵌合凹部76と線対称な位置に設けられ、突出台部73の下部に、それぞれ第１の本体部64および第２の本体部65の一方側から他方側に向けて細長棒状に水平に突出している。そして、第１の本体部64および第２の本体部65の一方の嵌合凸部77は、他方の嵌合凹部76に挿入されて嵌合可能である。
【００６７】
また、第１の本体部64と第２の本体部65とには、上端部の外周縁部に上側係合突出部81が径方向に向けてフランジ状に突出され、この上側係合突出部81から下方に離間された部分に、下側係合突出部82が径方向に向けてフランジ状に設けられ、これら上側係合突出部81および下側係合突出部82の間に、固定リング62が嵌合する嵌合溝部83が形成されている。
【００６８】
接続器61の下端部となる第１の本体部64および第２の本体部65の下端部の外周面は、それぞれ上端部の外周面よりも縮径され、かつ外周螺子部84がそれぞれ突設されている。これら各外周螺子部84により、第１の本体部64と第２の本体部65とを互いに嵌着した状態で接続器61の下端部の外周に螺旋状の螺子部85が形成される。
【００６９】
固定リング62は、例えば若干の弾性を有する部材で略環形の帯状に形成され、一部に嵌合開口部86が設けられ、この嵌合開口部86から径方向に若干開くように設けられている。そして、固定リング62は、接続器61の嵌合溝部83に嵌合され、第１の本体部64と第２の本体部65とを分割方向に対向する方向に向けて弾性的に挟持して互いに固定する。
【００７０】
取付リング63は、内周に内周螺子部87が設けられている。この内周螺子部87により、取付リング63は、照明器具20の器具本体22の開口部51に挿入された接続器61の第１の本体部64と第２の本体部65とを互いに外れないように保持した状態で螺子部85にねじ込み固定され、開口部51の縁部の下面に係合して器具本体22を下側から支持する。また、取付リング63の下端部の外周面には、この取付リング63を操作するための操作部88が一体に設けられている。
【００７１】
そして、器具取付面11に照明器具20を設置する場合には、まず、引掛シーリングボディ12の両側部から第１の本体部64および第２の本体部65を取り付けて接続器61を引掛シーリングボディ12に装着し、接続器61の嵌合溝部83に固定リング62を嵌着して接続器61を固定する。
【００７２】
さらに、引掛シーリングボディ12の下面に照明器具20の引掛シーリングキャップ75を装着し、照明器具20の器具本体22の開口部51を接続器61に位置合わせして押し上げた後、取付リング63の操作部88を周方向に回転させて取付リング63の内周螺子部87を接続器61の螺子部85にねじ込むことで、器具本体22が取付リング63に支持される。
【００７３】
そして、ランプホルダ体25に環形蛍光ランプＬを装着して、器具本体22の下方からセード26を被せて押し上げるとともに所定角度回動させることにより、器具本体22にセード26を係合させて取り付ける。
【００７４】
このように、照明器具20に挿入される接続器61を２分割した第１の本体部64と第２の本体部65とで引掛シーリングボディ12を挟持し、第１の本体部64と第２の本体部65とを互いに保持した状態で接続器61に取付リング63を取り付けて、この取付リング63を照明器具20の開口部51の周縁部に係合させて照明器具20を固定することにより、照明器具20を改造などすることなく高荷重形の引掛シーリングボディ12に確実に支持できる。
【００７５】
つまり、照明器具20を、別途アダプタ、あるいは高さ調整のパッキンなどを使用する高荷重形の引掛シーリングボディ12に対応した専用の構造とすることなく、従来の構造で引掛シーリングボディ12に対して確実に支持できる。
【００７６】
また、取付リング63は、螺子部85へのねじ込みにより接続器61に取り付けるので、取付リング63を接続器61に容易かつ確実に取り付けできる。
【００７７】
さらに、固定リング62を接続器61の外周に取り付けることで、第１の本体部64と第２の本体部65とをより確実に互いに固定できる。
【００７８】
なお、上記第２の実施の形態では、固定リング62で第１の本体部64と第２の本体部65とを固定したが、嵌合凸部77と嵌合凹部76とで第１の本体部64と第２の本体部65とを確実に固定できれば、固定リング62を使用しない構成も可能である。
【００７９】
また、第１の本体部64と第２の本体部65とを互いに保持した状態で取付リング63を接続器61に確実に固定できれば、取付リング63を接続器61の螺子部85にねじ込む構成に代えて、他の構成とすることも可能である。
【図面の簡単な説明】
【００８０】
【図１】本発明の第１の実施の形態を示す照明器具支持装置を備えた照明器具取付装置の上側からの分解斜視図である。
【図２】同上照明器具取付装置の下側からの分解斜視図である。
【図３】同上照明器具取付装置の側面図である。
【図４】同上照明器具支持装置を備えた照明装置の断面図である。
【図５】本発明の第２の実施の形態を示す照明器具支持装置の分解斜視図である。
【図６】同上照明器具支持装置の接続器を示し、(a)は分解平面図、(b)は第１の本体部と第２の本体部との嵌合状態の平面図である。
【図７】同上照明器具支持装置を備えた照明装置の断面図である。
【図８】同上照明器具の平面図である。
【符号の説明】
【００８１】
12    引掛シーリングボディ
13    段差部としての凸段部
20    照明器具
27    取付アダプタ
28    照明器具支持装置としてのアダプタ支持体
36    嵌合部としての螺子穴部
42    本体部
43    シーリング係合部
44    アダプタ係合部
48    突出部
61    接続器
63    係合保持体としての取付リング
64    第１の本体部
65    第２の本体部
85    螺子部
【図１】
2005078920.tif 000003
【図２】
2005078920.tif 000004
【図３】
2005078920.tif 000005
【図４】
2005078920.tif 000006
【図５】
2005078920.tif 000007
【図６】
2005078920.tif 000008
【図７】
2005078920.tif 000009
【図８】
2005078920.tif 000010